(57)【要約】電気的に絶縁された第１コンデンサ素子ユニット（１０）と第２のコンデンサ素子ユニット（２０）を有し、第１陰極部（１２）と第２陰極部（２２）とが積層された陰極積層体（３２）を中心として第１陽極部（１１）と第２陽極部（２１）が相対して設けられ、第１コンデンサ素子ユニット（１０）の第１陽極部（１１）と第１陰極部（１２）は第１陽極下面露出部（１５）と第１陰極下面露出部（１６）に電気的に接続し、第２コンデンサ素子ユニット（２０）の第２陽極部（２１）と第２陰極部（２２）は第２陽極下面露出部（２５）と第２陰極下面露出部（２６）に接続し、外装体（３０）の下面（３１）において、第１陰極下面露出部（１６）と第２陰極下面露出部（２６）は、夫々第１陽極下面露出部（１５）と第２陰極下面露出部（２６）との間、第２陽極下面露出部（２５）と第１陰極下面露出部（１６）との間に設けられる。
2014174833.tif 000002
【特許請求の範囲】
【請求項１】
第１陽極部と第１陰極部を有する第１コンデンサ素子ユニットと、
第１コンデンサ素子ユニットと電気的に絶縁され、第２陽極部と第２陰極部を有する第２のコンデンサ素子ユニットと、
第１陽極部に電気的に接続する第１陽極下面露出部と、第１陰極部に電気的に接続する第１陰極下面露出部と、第２陽極部に電気的に接続する第２陽極下面露出部と、第２陰極部に電気的に接続する第２陰極下面露出部と、第１コンデンサ素子ユニットと第２コンデンサ素子ユニットを被覆する外装体と、を備え、
第１陽極下面露出部、第１陰極下面露出部、第２陽極下面露出部、第２陰極下面露出部は、外装体の下面に設けられ、
第１陰極下面露出部は、第１陽極下面露出部と第２陰極下面露出部との間に設けられ、第２陰極下面露出部は、第２陽極下面露出部と第１陰極下面露出部との間に設けられた、
固体電解コンデンサ。
【請求項２】
第１陰極部と第２陰極部とが積層された陰極積層体が設けられ、この陰極積層体を中心として第１陽極部と第２陽極部とが相対して設けられた請求項１に記載の固体電解コンデンサ。
【請求項３】
第１陽極下面露出部における第１陰極下面露出部との対面する辺部は、この辺部全体が第１陰極下面露出部の対面する辺部の少なくとも一部と対面された、請求項１に記載の固体電解コンデンサ。
【請求項４】
第２陽極下面露出部における第２陰極下面露出部との対面する辺部は、この辺部全体が第２陰極下面露出部の対面する辺部の少なくとも一部と対面された、請求項１に記載の固体電解コンデンサ。
【請求項５】
第１陽極下面露出部と第１陰極下面露出部間の最短距離は、第１陰極下面露出部と第２陰極下面露出部間の最短距離より短い、請求項１に記載の固体電解コンデンサ。
【請求項６】
第２陽極下面露出部と第２陰極下面露出部間の最短距離は、第１陰極下面露出部と第２陰極下面露出部間の最短距離より短い、請求項１に記載の固体電解コンデンサ。
【請求項７】
第１陰極下面露出部と第２陰極下面露出部は、第１陰極部と第２陰極部の直下方に配置された、請求項１に記載の固体電解コンデンサ。
【請求項８】
第１陰極下面露出部と第２陰極下面露出部の各々の両側面に、前記外装体の内部に向かって上方に延在して設けられた突起部が形成された請求項１に記載の固体電解コンデンサ。
【請求項９】
第１陽極載置部と第２陽極載置部には、夫々第１コンデンサユニットの第１陽極部、第２コンデンサユニットの第２陽極部が載置される中央載置部が設けられ、前記中央載置部は、リードフレームが上方に折り返して形成されたものである請求項１に記載の固体電解コンデンサ。
【請求項１０】
第１コンデンサ素子ユニットおよび第２コンデンサ素子ユニットは、夫々陽極部と陰極部を有するコンデンサ素子を有し、第１コンデンサ素子ユニットの少なくとも１つのコンデンサ素子の陰極部と、第２コンデンサ素子ユニットの少なくとも１つのコンデンサ素子の陰極部とが、交互に積層した積層体を有した、請求項１に記載の固体電解コンデンサ。
【請求項１１】
請求項１に記載の固体電解コンデンサを回路基板に実装した、実装体。
【請求項１２】
前記回路基板は、第１陽極下面露出部に接続する第１陽極ランドと第１陽極ビアホール、第１陰極下面露出部に接続する第１陰極ランドと第１陰極ビアホールと、第２陽極下面露出部に接続する第２陽極ランドと第２陽極ビアホールと、第２陰極下面露出部に接続する第２陰極ランドと第２陰極ビアホールと、を備え、
第１陽極ランドと第１陰極ランド間において、第１陽極ビアホールは、第１陰極ビアホールと交互に直線上に配設された、請求項１１に記載の実装体。
【請求項１３】
第２陽極ランドと第２陰極ランド間において、第２陽極ビアホールは、第２陰極ビアホールと交互に直線上に配設された、請求項１１に記載の実装体。
【発明の詳細な説明】
【技術分野】
【０００１】
本発明は、面実装に対応したチップ形の固体電解コンデンサ及びその固体電解コンデンサを用いた実装体に関する。
【背景技術】
【０００２】
電子機器の高速化、高周波化に伴って、コンデンサのインピーダンス特性を向上することが検討されている。【０００３】
とりわけＣＰＵの周辺に使用される固体電解コンデンサには小型大容量が強く要望されている。さらに高周波化に対応して等価直列抵抗（ＥＳＲ）を小さくするのみならず、ノイズ除去や過渡応答性に優れた等価直列インダクタンス（ＥＳＬ）が小さい固体電解コンデンサが強く要望されている。【０００４】
図１０に示すように、従来の固体電解コンデンサ２００は、複数の平板状のコンデンサ素子を有している。【０００５】
第１コンデンサ素子２０１の陰極部２０４と第２コンデンサ素子２０２の陰極部２０４は、交互に積層されている。第１コンデンサ素子２０１と第２コンデンサ素子２０２の陽極部２０３は、積層された陰極部２０４を中心にして対向する第１方向と第２方向に交互に引き出されている。第１方向に引き出された第１コンデンサ素子２０１の陽極部２０３は互いに積層されて、第１陽極端子２０６と接合し、第２方向に引き出された第２コンデンサ素子２０２の陽極部２０３も同様に互いに積層されて、第２陽極端子２０７と接合している。【０００６】
第１コンデンサ素子２０１と第２コンデンサ素子２０２の陰極部２０４の端部の外周には絶縁層２０５が形成され、第１コンデンサ素子２０１の陰極部２０４と第２コンデンサ素子２０２の陰極部２０４が絶縁層２０５により電気的に絶縁されている。【０００７】
第１コンデンサ素子２０１は、第１陰極フレーム２１２と導電性ペースト２１０とを介して第１陰極端子２０８に電気的に接続し、さらに絶縁性ペースト２１１により第２陰極端子２０９と電気的に絶縁されている。同様に第２コンデンサ素子２０２は、第２陰極フレーム２１３と導電性ペースト２１０を介して第２陰極端子２０９に電気的に接続し、絶縁性ペースト２１１により第１陰極端子２０８と電気的に絶縁されている。【０００８】
そして、図１１に示すように、第１コンデンサ素子２０１の陰極部２０４に接続する第１陰極端子２０８の下面露出部２１８と、第２コンデンサ素子２０２の陰極部２０４に接続する第２陰極端子２０９の下面露出部２１９は、第１陽極端子２０６の下面露出部２１６と第２陽極端子２０７の下面露出部２１７とを結ぶ軸に沿って延在し、前記軸を境に対向して設けられている。【０００９】
これにより、固体電解コンデンサ２００に印加された電流に含まれる高周波ノイズ成分が２つの独立した第１陰極端子２０８と第２陰極端子２０９に流れて効率良く回路基板のグランドに流れ込む。そして固体電解コンデンサの高周波領域におけるインピーダンス特性が向上する。【００１０】
なお、この出願の発明に関連する先行技術文献情報としては、例えば、特許文献１に示すものが知られている。
【先行技術文献】
【特許文献】
【００１１】
【特許文献１】国際公開ＷＯ２００９／０６３６１８号
【発明の概要】
【発明が解決しようとする課題】
【００１２】
しかしながら、このような従来の固体電解コンデンサは、電子機器が更に高速化、高周波化すると、高周波領域におけるインピーダンス特性が十分でないという課題があった。【００１３】
本発明は、高周波領域におけるインピーダンス特性が優れた固体電解コンデンサを提供することを目的とする。
【課題を解決するための手段】
【００１４】
上記目的を達成するため、本発明は、第１陽極部と第１陰極部を有する第１コンデンサ素子ユニットと、第１コンデンサ素子ユニットと電気的に絶縁され、第２陽極部と第２陰極部を有する第２のコンデンサ素子ユニットと、第１陽極部に電気的に接続する第１陽極下面露出部と、第１陰極部に電気的に接続する第１陰極下面露出部と、第２陽極部に電気的に接続する第２陽極下面露出部と、第２陰極部に電気的に接続する第２陰極下面露出部と、第１コンデンサ素子ユニットと第２コンデンサ素子ユニットを被覆する外装体と、を備え第１陽極下面露出部、第１陰極下面露出部、第２陽極下面露出部、第２陰極下面露出部は、外装体の下面に設けられ、第１陰極下面露出部は、第１陽極下面露出部と第２陰極下面露出部との間に設けられ、第２陰極下面露出部は、第２陽極下面露出部と第１陰極下面露出部との間に設けられた、固体電解コンデンサである。
【発明の効果】
【００１５】
以上のように本発明によれば、高周波領域におけるインピーダンス特性を向上することができる。
【図面の簡単な説明】
【００１６】
【図１】本発明の実施の形態１における固体電解コンデンサの分解斜視図
【図２】本発明の実施の形態１における固体電解コンデンサの透視斜視図
【図３】本発明の実施の形態１における固体電解コンデンサの下面図
【図４】本発明の実施の形態１における陽極端子、陰極端子の斜視図
【図５】本発明の実施の形態１における他の素子積層体の分解斜視図
【図６】本発明の実施の形態１における固体電解コンデンサを回路基板に実装したときの等価回路図
【図７】本発明の実施の形態２における回路基板に固体電解コンデンサを実装した上面図
【図８】比較例における回路基板の固体電解コンデンサを実装した上面図
【図９】コンデンサ素子の断面模式図
【図１０】従来の固体電解コンデンサの分解斜視図
【図１１】従来の固体電解コンデンサの下面図
【発明を実施するための形態】
【００１７】
（実施の形態１）
実施の形態１の固体電解コンデンサについて説明する。
【００１８】
図１、図２に示すように、固体電解コンデンサ１００は、第１陽極部１１と第１陰極部１２を有する第１コンデンサ素子ユニット１０と、第２陽極部２１と第２陰極部２２を有する第２コンデンサ素子ユニット２０と、第１陽極部１１に電気的に接続する第１陽極端子と、第１陰極部１２に電気的に接続する第１陰極端子と、第２陽極部２１に電気的に接続する第２陽極端子と、第２陰極部２２に電気的に接続する第２陰極端子と、を備えている。
【００１９】
第１コンデンサ素子ユニット１０は、第２コンデンサ素子ユニット２０と電気的に絶縁されている。
【００２０】
外装体３０は、絶縁性樹脂であり、第１コンデンサ素子ユニット１０と第２コンデンサ素子ユニット２０を被覆している。
【００２１】
第１陽極端子、第２陽極端子、第１陰極端子、第２陰極端子は、夫々板状の第１陽極載置部１３、第２陽極載置部２３、第１陰極載置部１４、第２陰極載置部２４を有している。
【００２２】
第１陽極載置部１３と第２陽極載置部２３の上面には、夫々第１コンデンサ素子ユニット１０の第１陽極部１１、第２コンデンサ素子ユニット２０の第２陽極部２１が載置されている。第１陰極載置部１４と第２陰極載置部２４の上面には、第１コンデンサ素子ユニット１０の第１陰極部１２と第２コンデンサ素子ユニット２０の第２陰極部２２とが載置されている。
【００２３】
図９に示すように、コンデンサ素子５０は、一方に陽極部５１と他方に陰極部５２を有している。コンデンサ素子５０の陽極部５１は弁作用金属であり、コンデンサ素子５０の陰極部５２は弁作用金属の陽極体５３の表面に誘電体酸化皮膜５４が形成されて、さらに誘電体酸化皮膜５４の上に、固体電解質層５５、陰極層５６を順次形成したものである。
【００２４】
弁作用金属は、アルミニウム、タンタル、ニオブ等である。固体電解質層５５は導電性高分子を有することが好ましく低ＥＳＲ化することができる。陰極層５６は、カーボン層、導電性ペースト層を順次形成したものであり、導電性ペースト層は、銀等の導電性粉末を含有する。
【００２５】
コンデンサ素子５０の陽極体５３は、例えばアルミニウム箔を用いることができる。
【００２６】
第１コンデンサ素子ユニット１０及び第２コンデンサ素子ユニット２０は、平板状のコンデンサ素子を夫々少なくとも１つ有している。
【００２７】
第１コンデンサ素子ユニット１０の第１陽極部１１、第１陰極部１２は、夫々少なくとも１つのコンデンサ素子５０の陽極部５１、陰極部５２の集合体であり、第２コンデンサ素子ユニット２０の第２陽極部２１、第２陰極部２２も同様である。
【００２８】
第１コンデンサ素子ユニット１０の第１陰極部１２と第２コンデンサ素子ユニット２０の第２陰極部２２とが積層された陰極積層体３２が形成されている。そして第１陽極部１１と第２陽極部２１は、陰極積層体３２を中心として一方と他方の相対する方向に設けられている。
【００２９】
この陰極積層体３２は、第１コンデンサ素子ユニット１０の１つのコンデンサ素子５０の陰極部５２と、第２コンデンサ素子ユニット２０の１つのコンデンサ素子５０の陰極部５２と、が互いに積層されたものを少なくとも有している。
【００３０】
さらに陰極積層体３２は、第１コンデンサ素子ユニット１０のコンデンサ素子５０の陰極部５２の各々は、第１コンデンサ素子ユニット１０のコンデンサ素子５０の陰極部５２、又は第２コンデンサ素子ユニット２０のコンデンサ素子５０の陰極部５２、又は第１陰極載置部１４と第２陰極載置部２４、の何れかに積層されている。また、第２コンデンサ素子ユニット２０のコンデンサ素子５０の陰極部５２の各々も同様に積層されている。
【００３１】
また、図５に示すように、第１コンデンサ素子ユニット１０Ａのコンデンサ素子５０の陰極部５２と、第２コンデンサ素子ユニット２０Ａのコンデンサ素子５０の陰極部５２とが、交互に積層されてもよい。この交互に積層された第１コンデンサ素子ユニット１０Ａのコンデンサ素子５０の陰極部５２と、第２コンデンサ素子ユニット２０Ａのコンデンサ素子５０の陰極部５２と、の間には絶縁層３３が形成されている。
【００３２】
絶縁層３３は、異なる極性の陰極部５２間を電気的に絶縁するものであればよく、例えば絶縁性樹脂ペーストを塗布して形成されたものである。
【００３３】
図１、図２に示すように、絶縁層３３は、各コンデンサ素子５０に形成されている。絶縁層３３は、コンデンサ素子５０の陰極部５２の先端から中央部付近に渡って設けられ、コンデンサ素子５０の陰極部５２の周囲に設けられている。これにより、第１コンデンサ素子ユニット１０のコンデンサ素子５０の陰極部５２において絶縁層３３が被覆されていない部分は、第２コンデンサ素子ユニット２０のコンデンサ素子５０に設けた絶縁層３３と対面して設けられる。同様に第２コンデンサ素子ユニット２０のコンデンサ素子５０の陰極部５２に絶縁層３３が設けられている。
【００３４】
すなわち、この絶縁層３３により、第１コンデンサ素子ユニット１０は第２コンデンサ素子ユニット２０とは電気的に絶縁される。さらに第１コンデンサ素子ユニット１０は第２陰極端子と電気的に絶縁され、第２コンデンサ素子ユニット２０は第１陰極端子と電気的に絶縁されるように設けられる。
【００３５】
なお、同一のコンデンサ素子ユニットのコンデンサ素子５０の陰極部５２が連続して積層された場合には、この陰極部５２間に導電性ペーストを用いて形成された導電性接着層３４を設け、この導電性接着層３４を介して、同一のコンデンサ素子ユニットの陰極部５２同士を接合してもよい。
【００３６】
第１陽極端子、第２陽極端子、第１陰極端子、第２陰極端子は、板状の金属のリードフレームを加工して形成されたものである。
【００３７】
第１陽極載置部１３、第２陽極載置部２３、第１陰極載置部１４、第２陰極載置部２４の下面には、夫々第１陽極下面露出部１５、第２陽極下面露出部２５、第１陰極下面露出部１６、第２陰極下面露出部２６を有している。これらの下面露出部は、外装体３０の下面３１と同一面に設けられ、略矩形形状に形成されている。
【００３８】
図３に示すように、第１陰極下面露出部１６は、第１陽極下面露出部１５と第２陰極下面露出部２６との間に設けられている。すなわち、第１陰極下面露出部１６は、第１陽極下面露出部１５の中心と第２陰極下面露出部２６の中心とを結ぶ直線上に設けられる。また、第２陰極下面露出部２６は、第２陽極下面露出部２５と第１陰極下面露出部１６との間に設けられている。
【００３９】
第１陽極下面露出部１５と第２陽極下面露出部２５は、夫々外装体３０の第１端面、第２端面の下端に引き出され、夫々外装体３０の第１側面の下端から第２側面の下端に渡って延在している。
【００４０】
ここで、第１端面と第２端面は、互いに対面して外装体３０の下面３１に垂直に設けられ、第１側面と第２側面は、互いに対面して外装体３０の下面３１と第１端面と第２端面とに垂直に設けられている。
【００４１】
第１陽極下面露出部１５における第１陰極下面露出部１６と対面する辺３５は、この辺３５全体が第１陰極下面露出部１６の対面する辺３７の少なくとも一部と平行に対面している。同様に第２陽極下面露出部２５における第２陰極下面露出部２６と対面する辺３６は、辺３６全体が第２陰極下面露出部２６の辺３８の少なくとも一部と平行に対面している。
【００４２】
第１陽極下面露出部１５と第１陰極下面露出部１６の最短距離は、第１陰極下面露出部１６と第２陰極下面露出部２６の最短距離より短く設けられることが好ましい。さらに第２陽極下面露出部２５と第２陰極下面露出部２６の最短距離は、第１陰極下面露出部１６と第２陰極下面露出部２６の最短距離より短く設けられることが好ましい。これより陽極下面露出部と陰極下面露出部が近接できるため、インピーダンス特性を向上することができる。
【００４３】
また、図４に示すように、第１陰極載置部１４と第２陰極載置部２４には、突起部１９、２９が第１陰極下面露出部１６と第２陰極下面露出部２６の両側面に設けられている。突起部１９、２９は、各側面から外装体３０の内部に向かって斜め上方に延在して設けられている。これにより、外部からの湿気の浸入を抑制することができる。
【００４４】
さらに、第１陰極載置部１４と第２陰極載置部２４の両側面には、夫々一対の第１陰極ホルダー１７、一対の第２陰極ホルダー２７が設けられている。
【００４５】
陰極積層体３２の最下層の陰極層は、導電性接着層３４を介して第１陰極載置部１４と第２陰極載置部２４の上面に接合されている。図１においては、第２コンデンサ素子ユニット２０のコンデンサ素子５０の陰極部５２を被覆した絶縁層３３が第１陰極載置部１４と接合され、絶縁層３３に被覆されていない部分の陰極層が第２陰極載置部２４と接合されている。
【００４６】
第１陰極ホルダー１７と第２陰極ホルダー２７は、陰極積層体３２の各コンデンサ素子の側面に導電性ペーストを介して接合されている。
【００４７】
この導電性ペーストにより、第１陰極ホルダー１７は、第１コンデンサ素子ユニット１０の各コンデンサ素子の絶縁層３３により被覆されていない陰極層及び第２コンデンサ素子ユニット２０の各コンデンサ素子の陰極層を被覆した絶縁層３３と接合されている。同様に第２陰極ホルダー２７は、第２コンデンサ素子ユニット２０の各コンデンサ素子の絶縁層３３により被覆さていない陰極層及び第１コンデンサ素子ユニット１０の各コンデンサ素子の陰極層を被覆した絶縁層３３と接合されている。
【００４８】
第１陽極載置部１３と第２陽極載置部２３には、中央載置部１８Ａ、２８Ａと両側載置部とが設けられている。中央載置部１８Ａ、２８Ａと両側載置部には、第１コンデンサ素子ユニット１０の第１陽極部１１、第２コンデンサ素子の第２陽極部２１が、夫々載置される。
【００４９】
中央載置部１８Ａ、２８Ａは、第１陽極下面露出部１５と第２陽極下面露出部２５とが向き合う側面側からリードフレームを上方に折り返して形成されている。両側載置部は、第１陽極下面露出部１５と第２陽極下面露出部２５の各々の両端側から外装体３０の内部に向かって斜め上方に延在し、上方端には平坦状の上端部１８Ｂ、２８Ｂが形成されてい
る。さらに上端部１８Ｂ、２８Ｂは第１陽極部１１、第２陽極部２１を挟み込むように折り曲げた挟持部１８Ｃ、２８Ｃが形成されている。
【００５０】
第１コンデンサ素子ユニット１０の第１陽極部１１、第２コンデンサ素子の第２陽極部２１は、夫々第１陽極載置部１３と第２陽極載置部２３の上端部１８Ｂ、２８Ｂの上面に載置される。挟持部１８Ｃ、２８Ｃの上面からレーザー溶接、抵抗溶接等を行なうことにより第１陽極部１１、第２陽極部２１が、第１陽極載置部１３の上端部１８Ｂと狭持部１８Ｃ、第２陽極載置部２３の上端部２８Ｂと狭持部２８Ｃに夫々接合される。第１陽極載置部１３と第２陽極載置部２３の中央載置部１８Ａ、２８Ａにより第１陽極部１１、第２陽極部２１が支持される。
【００５１】
そして、第１陽極下面露出部１５及び第２陽極下面露出部２５は、夫々第１陽極部１１、第２陽極部２１の直下方に配置される。第１陰極下面露出部１６及び第２陰極下面露出部２６は、第１陰極部１２と第２陰極部２２の直下方に配置される。
【００５２】
図６は、電源供給ラインとグランドとの間にバイパス用の固体電解コンデンサを接続した等価回路を示している。２つのコンデンサ６１、６２は、実施の形態１の固体電解コンデンサ１００の第１コンデンサ素子ユニット１０と第２コンデンサ素子ユニット２０に対応し、１つの固体電解コンデンサ１００が２つのコンデンサ６１、６２として回路基板に接続可能になる。これにより、高周波領域において各コンデンサに流れる電流が他方のコンデンサに流れ込むことを抑制でき、高周波領域におけるインピーダンス特性を向上することができる。
【００５３】
また、実施の形態１の固体電解コンデンサ１００は、図１０に示す従来の固体電解コンデンサ２００に比較し、コンデンサ素子から実装面までの引き出し距離が短くできるため、低ＥＳＲかつ低ＥＳＬとすることができ、高周波領域におけるインピーダンス特性を向上することができる。
【００５４】
さらに、第１陽極下面露出部１５の辺３５全体が第１陰極下面露出部１６の辺３７に対面し、第２陽極下面露出部２５の辺３６全体が第２陰極下面露出部２６の辺３８に対面しているため、固体電解コンデンサの見かけ上のインピーダンス特性を向上できる回路設計ができる。
【００５５】
以上のように、実施の形態１の固体電解コンデンサは、高周波領域におけるインピーダンス特性を向上できる。
【００５６】
（実施の形態２）
実施の形態２で固体電解コンデンサを実装した実装体について説明する。
【００５７】
実施の形態２に用いられる固体電解コンデンサは、実施の形態１の固体電解コンデンサ１００である。
【００５８】
図７に示すように、回路基板の上面には、第１陽極下面露出部１５、第２陽極下面露出部２５、第１陰極下面露出部１６、第２陰極下面露出部２６に、ハンダを介して接合する第１陽極ランド１０１、第２陽極ランド１０２、第１陰極ランド１０３、第２陰極ランド１０４を有している。
【００５９】
ここで、点線は固体電解コンデンサ１００の外形を示している。
【００６０】
複数の第１陽極ビアホール１１１、第２陽極ビアホール１１２、第１陰極ビアホール１１３、第２陰極ビアホール１１４は、夫々第１陽極ランド１０１、第２陽極ランド１０２、第１陰極ランド１０３、第２陰極ランド１０４に電気的に接続している。
【００６１】
さらに第１陽極ビアホール１１１は、第１陽極ランド１０１を介して対向して設けられている。同様に各極性のビアホールは、対応する各極性のランドを介して対向して設けられている。
【００６２】
第１陽極ランド１０１、第２陽極ランド１０２、第１陰極ランド１０３、第２陰極ランド１０４は、夫々第１陽極ランド１０１と第２陽極ランド１０２とを結ぶ軸Ｘに対して直交する軸Ｙに沿って延在している。第１陰極ランド１０３、第２陰極ランド１０４は、軸Ｙ方向において夫々第１陽極ランド１０１、第２陽極ランド１０２より長く設けられている。
【００６３】
第１陽極ビアホール１１１は、第１陽極ランド１０１と第１陰極ランド１０３との間に設けられ、かつ軸Ｙ方向に沿う一つの直線上に第２陰極ビアホール１１４と共に配設されているものを有している。同様に第２陽極ビアホール１１２は、第２陽極ランド１０２と第２陰極ランド１０４との間に設けられ、第２陰極ビアホール１１４と共に直線上に配設されているものを有している。
【００６４】
第１陽極ランド１０１と第１陰極ランド１０３とが対面した間に設けられた第１陽極ビアホール１１１は、第１陰極ビアホール１１３と１つずつ交互に設けられている。第２陽極ランド１０２と第２陰極ランド１０４とが対面した間に設けられた第２陽極ビアホール１１２も、同様に設けられている。これにより、固体電解コンデンサの見かけ上のインピーダンス特性を向上することができる。
【００６５】
一方、第１陰極ランド１０３と第２陰極ランド１０４とが対面した間に設けられた第１陰極ビアホール１１３と第２陰極ビアホール１１４は、所定の間隔を有する平行に設けた直線上に軸Ｙ方向に沿って別々に並んで設けられている。
【００６６】
なお、第１陽極ランド１０１と第１陰極ランド１０３とが対面した間に設けられた第１陽極ビアホール１１１、第１陰極ビアホール１１３とを軸Ｙ方向に沿って別々に直線上に設けてもよい。
【００６７】
さらに、第１陽極ランド１０１と第１陰極ランド１０３間の最短距離は、第１陰極ランド１０３と第２陰極ランド１０４間の最短距離より、短いことが好ましい。これにより固体電解コンデンサの見かけ上のインピーダンス特性を向上することができる。
【００６８】
次に、比較例の実装体について説明する。
【００６９】
比較例に用いられる固体電解コンデンサは、図１０、図１１に示す従来の固体電解コンデンサ２００である。
【００７０】
図８に示すように、２つの陽極ランド２３１、２３２、２つの陰極ランド２３３、２３４は、夫々比較例の固体電解コンデンサ２００の第１陽極端子２０６、第２陽極端子２０７、第１陰極端子２０８、第２陰極端子２０９に接合される。
【００７１】
２つの陽極ランド２３１、２３２は軸Ｙに沿って延在し、２つの陰極ランド２３３、２３４は軸Ｙと直交する軸Ｘに沿って延在している。
【００７２】
２つの陰極ランド２３３、２３４に接続する陰極ビアホール２３７、２３８は、２つの陰極ランド２３３、２３４間において軸Ｘに沿って平行に並んで設けられている。一方、２つの陽極ランド２３１、２３２に接続する陽極ビアホール２３５、２３６は、２つの陽極ランド２３１、２３２間において、軸Ｙに沿って平行して並んで設けられている。
【００７３】
そして、陰極ビアホール２３７、２３８が配設された列の先端のみが、陽極ビアホール２３５、２３６が配設された列に近接されている。
【００７４】
したがって、実施の形態２の図７に示される回路基板は、比較例の図８に示される回路基板に比較し、第１陽極ビアホール１１１と第１陰極ビアホール１１３とが近接する距離を短くでき、かつ第１陽極ビアホール１１１と第１陰極ビアホール１１３とが近接する箇所を多くすることができる。また、第２陽極ビアホール１１２と第２陰極ビアホール１１４も同様に近接することができる。これにより、固体電解コンデンサの見かけ上のインピーダンス特性を向上することができる。
【産業上の利用可能性】
【００７５】
本発明の固体電解コンデンサは、高周波領域におけるインピーダンス特性に優れ、面実装用コンデンサに有用である。
【符号の説明】
【００７６】
１０  第１コンデンサ素子ユニット
１１  第１陽極部
１２  第１陰極部
１３  第１陽極載置部
１４  第１陰極載置部
１５  第１陽極下面露出部
１６  第１陰極下面露出部
１７  第１陰極ホルダー
１８Ａ、２８Ａ  中央載置部
１８Ｂ、２８Ｂ  上端部
１８Ｃ、２８Ｃ  挟持部
１９、２９  突起部
２０  第２コンデンサ素子ユニット
２１  第２陽極部
２２  第２陰極部
２３  第２陽極載置部
２４  第２陰極載置部
２５  第２陽極下面露出部
２６  第２陰極下面露出部
２７  第２陰極ホルダー
３０  外装体
３１  下面
３２  陰極積層体
３３  絶縁層
３４  導電性接着層
３５〜３８  辺
５０  コンデンサ素子
５１  陽極部
５２  陰極部
１００  固体電解コンデンサ
１０１  第１陽極ランド
１０２  第２陽極ランド
１０３  第１陰極ランド
１０４  第２陰極ランド
１１１  第１陽極ビアホール
１１２  第２陽極ビアホール
１１３  第１陰極ビアホール
１１４  第２陰極ビアホール
２３５、２３６  陽極ビアホール
２３７、２３８  陰極ビアホール
【図１】
2014174833.tif 000003
【図２】
2014174833.tif 000004
【図３】
2014174833.tif 000005
【図４】
2014174833.tif 000006
【図５】
2014174833.tif 000007
【図６】
2014174833.tif 000008
【図７】
2014174833.tif 000009
【図８】
2014174833.tif 000010
【図９】
2014174833.tif 000011
【図１０】
2014174833.tif 000012
【図１１】
2014174833.tif 000013
【国際調査報告】
2014174833.tif 000014
2014174833.tif 000015
2014174833.tif 000016
2014174833.tif 000017